(57)【要約】【課題】ハンドオーバ前の通信からハンドオーバ後の通信に、セキュリティ処理に係る情報を、適切に引き継ぐ。【解決手段】移動局ＵＥが、ＵＴＲＡ方式の無線基地局ＮＢ配下のセルからＥ-ＵＴＲＡ方式の無線基地局ｅＮＢ配下のセルに対してハンドオーバを行うための手順において、Ｅ-ＵＴＲＡ方式の交換局ＭＭＥが、Ｅ-ＵＴＲＡ方式の無線基地局ｅＮＢから、Ｅ-ＵＴＲＡ方式の無線基地局ｅＮＢと移動局ＵＥとの間の通信で用いられるＡＳのセキュリティ処理用アルゴリズムを含むトランスペアレントコンテナを含むハンドオーバ要求応答メッセージを受信し、ＵＴＲＡ方式の交換局ＳＧＳＮに対して、トランスペアレントコンテナとＮＡＳのセキュリティ処理用アルゴリズムとＮＡＳのセキュリティ処理用パラメータとを含むＮＡＳ  ＰＤＵを送信する工程を有する。【選択図】図５
2010104020.tif 000002
【特許請求の範囲】
【請求項１】
移動局が、第１無線アクセス方式の無線基地局配下の第１セルから第２無線アクセス方式の無線基地局配下の第２セルに対してハンドオーバを行うための手順において、
前記第２無線アクセス方式の交換局が、前記移動局との間の通信で用いる第１プロトコルのセキュリティ処理用アルゴリズムを選択する工程Ａと、
前記第２無線アクセス方式の交換局が、前記第１プロトコルのセキュリティ処理用パラメータを生成する工程Ｂと、
前記第２無線アクセス方式の交換局が、該第２無線アクセス方式の無線基地局から、該第２無線アクセス方式の無線基地局と前記移動局との間の通信で用いられる第２プロトコルのセキュリティ処理用アルゴリズムを含むトランスペアレントコンテナを含むハンドオーバ要求応答メッセージを受信する工程Ｃと、
前記第２無線アクセス方式の交換局が、前記第１無線アクセス方式の交換局に対して、前記トランスペアレントコンテナと前記第１プロトコルのセキュリティ処理用アルゴリズムと該第１プロトコルのセキュリティ処理用パラメータとを含む第１メッセージを送信する工程Ｄと、
前記移動局が、前記第１セルにおいて、前記トランスペアレントコンテナと前記第１プロトコルのセキュリティ処理用アルゴリズムと該第１プロトコルのセキュリティ処理用パラメータとを受信する工程Ｅと、
前記移動局が、前記第１プロトコルのセキュリティ処理用アルゴリズム及び該第１プロトコルのセキュリティ処理用パラメータを用いて、前記第２プロトコルのセキュリティ処理用パラメータを算出する工程Ｆと、
前記移動局が、前記第２セルにおいて、前記第１プロトコルのセキュリティ処理用アルゴリズム及び該第１プロトコルのセキュリティ処理用パラメータを用いて、該第１プロトコルを用いた通信におけるセキュリティ処理を行う工程Ｇと、
前記移動局が、前記第２セルにおいて、前記第２プロトコルのセキュリティ処理用アルゴリズム及び該第２プロトコルのセキュリティ処理用パラメータを用いて、該第２プロトコルを用いた通信におけるセキュリティ処理を行う工程Ｈとを有することを特徴とする移動通信方法。
【請求項２】
前記工程Ｄにおいて、前記第１プロトコルのセキュリティ処理用アルゴリズム及び該第１プロトコルのセキュリティ処理用パラメータを含む第１プロトコル用メッセージが、前記トランスペアレントコンテナ内に含まれて送信されることを特徴とする請求項１に記載の移動通信方法。
【請求項３】
前記工程Ｄにおいて、前記第２無線アクセス方式の交換局は、前記第１無線アクセス方式の交換局に対して、前記第１プロトコルのセキュリティ処理用アルゴリズム及び該第１プロトコルのセキュリティ処理用パラメータを含む第１プロトコル用メッセージを、前記トランスペアレントコンテナとは別に、前記第１メッセージ内に含めて送信することを特徴とする請求項１に記載の移動通信方法。
【請求項４】
前記第１無線アクセス方式の交換局が、該第１無線アクセス方式の無線制御局に対して、受信した前記第１プロトコル用メッセージを、該第１無線アクセス方式の交換局と前記移動局との間の通信で用いられる第３プロトコル用メッセージに含めて送信する工程と、
前記第１無線アクセス方式の無線制御局が、前記第１無線アクセス方式の交換局から受信した前記第３プロトコル用メッセージに含まれる前記第１プロトコル用メッセージに含まれる該第１プロトコルのセキュリティ処理用アルゴリズム及び該第１プロトコルのセキュリティ処理用パラメータを、該第１無線アクセス方式の無線制御局と前記移動局との間の通信で用いられる第４プロトコル用メッセージに含めて送信する工程とを更に有することを特徴とする請求項３に記載の移動通信方法。
【請求項５】
前記工程Ｄにおいて、前記第２無線アクセス方式の交換局は、前記第１無線アクセス方式の交換局に対して、前記第１プロトコルのセキュリティ処理用アルゴリズム及び該第１プロトコルのセキュリティ処理用パラメータを、前記トランスペアレントコンテナとは別に、前記第１メッセージ内に含めて送信し、
前記第１無線アクセス方式の交換局が、前記トランスペアレントコンテナとは別に、前記第１プロトコルのセキュリティ処理用アルゴリズム及び該第１プロトコルのセキュリティ処理用パラメータを含む第１プロトコル用メッセージを、該第１無線アクセス方式の交換局と前記移動局との間の通信で用いられる第３プロトコル用メッセージに含めて送信する工程を更に有することを特徴とする請求項１に記載の移動通信方法。
【請求項６】
前記第２無線アクセス方式の交換局が、前記第１プロトコルのセキュリティ処理用アルゴリズム及び該第１プロトコルのセキュリティ処理用パラメータを用いたインテグリティプロテクション処理を行うことによって、前記第１プロトコル用メッセージを生成する工程と、
前記移動局が、受信した前記第１プロトコルのセキュリティ処理用アルゴリズムと該第１プロトコルのセキュリティ処理用パラメータを用いたインテグリティプロテクション処理を行うことによって、前記第１プロトコル用メッセージに対する改竄の有無を検査する工程と、
前記移動局が、前記第１プロトコル用メッセージに対する改竄があると判断された場合、前記第１無線アクセス方式の無線制御局又は該第１無線アクセス方式の交換局に対して、前記ハンドオーバ手順が失敗した旨を通知する工程とを更に有することを特徴とする請求項２乃至４のいずれか一項に記載の移動通信方法。
【請求項７】
移動局が、第１無線アクセス方式の無線基地局配下の第１セルから第２無線アクセス方式の無線基地局配下の第２セルに対してハンドオーバを行うための手順を行うことができる該第２無線アクセス方式の交換局として機能することができる交換局であって、
前記手順において、前記移動局との間の通信で用いる第１プロトコルのセキュリティ処理用アルゴリズムを選択するように構成されている選択部と、
前記手順において、前記第１プロトコルのセキュリティ処理用パラメータを生成するように構成されている生成部と、
前記手順において、前記第２無線アクセス方式の無線基地局から、該第２無線アクセス方式の無線基地局と前記移動局との間の通信で用いられる第２プロトコルのセキュリティ処理用アルゴリズムを含むトランスペアレントコンテナを含むハンドオーバ要求応答メッセージを受信するように構成されている受信部と、
前記手順において、前記第１無線アクセス方式の交換局に対して、前記トランスペアレントコンテナと前記第１プロトコルのセキュリティ処理用アルゴリズムと該第１プロトコルのセキュリティ処理用パラメータとを含む第１メッセージを送信するように構成されている送信部とを具備することを特徴とする交換局。
【発明の詳細な説明】
【技術分野】
【０００１】
本発明は、移動通信方法及び交換局に関する。
【背景技術】
【０００２】
現在、３ＧＰＰにおいて、ＵＴＲＡ（Ｕｎｉｖｅｒｓａｌ  Ｔｅｒｒｅｓｔｒｉａｌ  Ｒａｄｉｏ  Ａｃｃｅｓｓ）方式の無線アクセスネットワーク及びＥ-ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）方式の無線アクセスネットワークが混在する移動通信システムについての検討がなされている。
【０００３】
かかる移動通信システムにおいて、移動局ＵＥが、ＵＴＲＡ方式の無線基地局配下のセルとＥ-ＵＴＲＡ方式の無線基地局配下のセルとの間でハンドオーバを行うことが想定されている。
【先行技術文献】
【非特許文献】
【０００４】
【非特許文献１】３ＧＰＰ  ＴＳ３６．３００  ｖ８．６．０
【非特許文献２】３ＧＰＰ  ＴＳ３３．４０１  ｖ８．１．１
【発明の概要】
【発明が解決しようとする課題】
【０００５】
ここで、移動局ＵＥは、ＵＴＲＡ方式の無線基地局配下のセル内で行う通信と、Ｅ-ＵＴＲＡ方式の無線基地局配下のセル内で行う通信とで、異なるセキュリティ処理を行うように構成されている。
【０００６】
しかしながら、上述の移動通信システムでは、移動局ＵＥが、ＵＴＲＡ方式の無線基地局配下のセルとＥ-ＵＴＲＡ方式の無線基地局配下のセルとの間でハンドオーバを行う場合に、どのようにして、ハンドオーバ前の通信で用いられていたセキュリティ処理に係る情報をハンドオーバ後の通信に引き継ぐべきかについて明確に規定されていないという問題点があった。
【０００７】
そこで、本発明は、上述の課題に鑑みてなされたものであり、移動局が、第１無線アクセス方式の無線基地局配下の第１セルから第２無線アクセス方式の無線基地局配下の第２セルに対してハンドオーバを行うための手順において、適切に、セキュリティ処理に係る情報を、ハンドオーバ前の通信からハンドオーバ後の通信に引き継ぐことができる移動通信方法及び交換局を提供することを目的とする。
【課題を解決するための手段】
【０００８】
本発明の第１の特徴は、移動通信方法であって、移動局が、第１無線アクセス方式の無線基地局配下の第１セルから第２無線アクセス方式の無線基地局配下の第２セルに対してハンドオーバを行うための手順において、前記第２無線アクセス方式の交換局が、前記移動局との間の通信で用いる第１プロトコルのセキュリティ処理用アルゴリズムを選択する工程Ａと、前記第２無線アクセス方式の交換局が、前記第１プロトコルのセキュリティ処理用パラメータを生成する工程Ｂと、前記第２無線アクセス方式の交換局が、該第２無線アクセス方式の無線基地局から、該第２無線アクセス方式の無線基地局と前記移動局との間の通信で用いられる第２プロトコルのセキュリティ処理用アルゴリズムを含むトランスペアレントコンテナを含むハンドオーバ要求応答メッセージを受信する工程Ｃと、前記第２無線アクセス方式の交換局が、前記第１無線アクセス方式の交換局に対して、前記トランスペアレントコンテナと前記第１プロトコルのセキュリティ処理用アルゴリズムと該第１プロトコルのセキュリティ処理用パラメータとを含む第１メッセージを送信する工程Ｄと、前記移動局が、前記第１セルにおいて、前記トランスペアレントコンテナと前記第１プロトコルのセキュリティ処理用アルゴリズムと該第１プロトコルのセキュリティ処理用パラメータとを受信する工程Ｅと、前記移動局が、前記第１プロトコルのセキュリティ処理用アルゴリズム及び該第１プロトコルのセキュリティ処理用パラメータを用いて、前記第２プロトコルのセキュリティ処理用パラメータを算出する工程Ｆと、前記移動局が、前記第２セルにおいて、前記第１プロトコルのセキュリティ処理用アルゴリズム及び該第１プロトコルのセキュリティ処理用パラメータを用いて、該第１プロトコルを用いた通信におけるセキュリティ処理を行う工程Ｇと、前記移動局が、前記第２セルにおいて、前記第２プロトコルのセキュリティ処理用アルゴリズム及び該第２プロトコルのセキュリティ処理用パラメータを用いて、該第２プロトコルを用いた通信におけるセキュリティ処理を行う工程Ｈとを有することを要旨とする。
【０００９】
本発明の第１の特徴において、  前記工程Ｄにおいて、前記第１プロトコルのセキュリティ処理用アルゴリズム及び該第１プロトコルのセキュリティ処理用パラメータを含む第１プロトコル用メッセージが、前記トランスペアレントコンテナ内に含まれて送信されてもよい。
【００１０】
本発明の第１の特徴において、前記工程Ｄにおいて、前記第２無線アクセス方式の交換局は、前記第１無線アクセス方式の交換局に対して、前記第１プロトコルのセキュリティ処理用アルゴリズム及び該第１プロトコルのセキュリティ処理用パラメータを含む第１プロトコル用メッセージを、前記トランスペアレントコンテナとは別に、前記第１メッセージ内に含めて送信してもよい。
【００１１】
本発明の第１の特徴において、前記第１無線アクセス方式の交換局が、該第１無線アクセス方式の無線制御局に対して、受信した前記第１プロトコル用メッセージを、該第１無線アクセス方式の交換局と前記移動局との間の通信で用いられる第３プロトコル用メッセージに含めて送信する工程と、前記第１無線アクセス方式の無線制御局が、前記第１無線アクセス方式の交換局から受信した前記第３プロトコル用メッセージに含まれる前記第１プロトコル用メッセージに含まれる該第１プロトコルのセキュリティ処理用アルゴリズム及び該第１プロトコルのセキュリティ処理用パラメータを、該第１無線アクセス方式の無線制御局と前記移動局との間の通信で用いられる第４プロトコル用メッセージに含めて送信する工程とを更に有してもよい。
【００１２】
本発明の第１の特徴において、前記工程Ｄにおいて、前記第２無線アクセス方式の交換局は、前記第１無線アクセス方式の交換局に対して、前記第１プロトコルのセキュリティ処理用アルゴリズム及び該第１プロトコルのセキュリティ処理用パラメータを、前記トランスペアレントコンテナとは別に、前記第１メッセージ内に含めて送信し、  前記第１無線アクセス方式の交換局が、前記トランスペアレントコンテナとは別に、前記第１プロトコルのセキュリティ処理用アルゴリズム及び該第１プロトコルのセキュリティ処理用パラメータを含む第１プロトコル用メッセージを、該第１無線アクセス方式の交換局と前記移動局との間の通信で用いられる第３プロトコル用メッセージに含めて送信する工程を更に有してもよい。
【００１３】
本発明の第１の特徴において、前記第２無線アクセス方式の交換局が、前記第１プロトコルのセキュリティ処理用アルゴリズム及び該第１プロトコルのセキュリティ処理用パラメータを用いたインテグリティプロテクション処理を行うことによって、前記第１プロトコル用メッセージを生成する工程と、前記移動局が、受信した前記第１プロトコルのセキュリティ処理用アルゴリズムと該第１プロトコルのセキュリティ処理用パラメータを用いたインテグリティプロテクション処理を行うことによって、前記第１プロトコル用メッセージに対する改竄の有無を検査する工程と、前記移動局が、前記第１プロトコル用メッセージに対する改竄があると判断された場合、前記第１無線アクセス方式の無線制御局に対して、前記ハンドオーバ手順が失敗した旨を通知する工程とを更に有してもよい。
【００１４】
本発明の第２の特徴は、移動局が、第１無線アクセス方式の無線基地局配下の第１セルから第２無線アクセス方式の無線基地局配下の第２セルに対してハンドオーバを行うための手順を行うことができる該第２無線アクセス方式の交換局として機能することができる交換局であって、前記手順において、前記移動局との間の通信で用いる第１プロトコルのセキュリティ処理用アルゴリズムを選択するように構成されている選択部と、前記手順において、前記第１プロトコルのセキュリティ処理用パラメータを生成するように構成されている生成部と、前記手順において、前記第２無線アクセス方式の無線基地局から、該第２無線アクセス方式の無線基地局と前記移動局との間の通信で用いられる第２プロトコルのセキュリティ処理用アルゴリズムを含むトランスペアレントコンテナを含むハンドオーバ要求応答メッセージを受信するように構成されている受信部と、前記手順において、前記第１無線アクセス方式の交換局に対して、前記トランスペアレントコンテナと前記第１プロトコルのセキュリティ処理用アルゴリズムと該第１プロトコルのセキュリティ処理用パラメータとを含む第１メッセージを送信するように構成されている送信部とを具備することを要旨とする。
【発明の効果】
【００１５】
以上説明したように、本発明によれば、移動局が、第１無線アクセス方式の無線基地局配下の第１セルから第２無線アクセス方式の無線基地局配下の第２セルに対してハンドオーバを行うための手順において、適切に、セキュリティ処理に係る情報を、ハンドオーバ前の通信からハンドオーバ後の通信に引き継ぐことができる移動通信方法及び交換局を提供することができる。
【図面の簡単な説明】
【００１６】
【図１】本発明の第１の実施形態に係る移動通信システムの全体構成図である。
【図２】本発明の第１の実施形態に係る交換局の機能ブロック図である。
【図３】本発明の第１の実施形態に係る無線基地局の機能ブロック図である。
【図４】本発明の第１の実施形態に係る移動局の機能ブロック図である。
【図５】本発明の第１の実施形態に係る移動通信システムの動作例１を示すシーケンス図である。
【図６】本発明の第１の実施形態に係る移動通信システムの動作例２を示すシーケンス図である。
【図７】本発明の第１の実施形態に係る移動通信システムの動作例３を示すシーケンス図である。
【図８】本発明の第１の実施形態に係る移動通信システムの動作例４を示すシーケンス図である。
【図９】本発明の第１の実施形態に係る移動通信システムの動作例５を示すシーケンス図である。
【発明を実施するための形態】
【００１７】
（本発明の第１の実施形態に係る移動通信システムの構成）
図１乃至図４を参照して、本発明の第１の実施形態に係る移動通信システムの構成について説明する。
【００１８】
図１に示すように、本実施形態に係る移動通信システムは、ＵＴＲＡ方式（第１無線アクセス方式）の交換局ＳＧＳＮと、ＵＴＲＡ方式の無線制御局ＲＮＣと、ＵＴＲＡ方式の無線基地局ＮＢと、Ｅ-ＵＴＲＡ方式（第２無線アクセス方式）の交換局ＭＭＥと、Ｅ-ＵＴＲＡ方式の無線基地局ｅＮＢとを具備している。
【００１９】
ここで、本実施形態に係る移動通信システムにおいて、Ｅ-ＵＴＲＡ方式の交換局ＭＭＥと移動局ＵＥとの間の通信では「ＮＡＳ（Ｎｏｎ  Ａｃｃｅｓｓ  Ｓｔｒａｔｕｍ、第１プロトコル）」が用いられ、Ｅ-ＵＴＲＡ方式の無線基地局ｅＮＢと移動局ＵＥとの間の通信では「ＡＳ（Ａｃｃｅｓｓ  Ｓｔｒａｔｕｍ、第２プロトコル）」が用いられ、ＵＴＲＡ方式の交換局ＳＧＳＮと移動局ＵＥとの間の通信では「ＮＡＳ（第３プロトコル）」が用いられ、ＵＴＲＡ方式の無線制御局ＲＮＣと移動局ＵＥとの間の通信では「ＡＳ（第４プロトコル）」が用いられるものとする。
【００２０】
そして、Ｅ-ＵＴＲＡ方式の交換局ＭＭＥと移動局ＵＥとの間で送受信されるＮＡＳメッセージ（第１プロトコル用メッセージ）を「ＮＡＳ  ＰＤＵ（Ｅ-ＵＴＲＡ）」と表現し、Ｅ-ＵＴＲＡ方式の無線基地局ｅＮＢと移動局ＵＥとの間で送受信されるＡＳメッセージ（第２プロトコル用メッセージ）を「ＡＳ  ＰＤＵ（Ｅ-ＵＴＲＡ）」と表現し、ＵＴＲＡ方式の交換局ＳＧＳＮと移動局ＵＥとの間で送受信されるＮＡＳメッセージ（第３プロトコル用メッセージ）を「ＮＡＳ  ＰＤＵ（ＵＴＲＡ）」と表現し、ＵＴＲＡ方式の無線制御局ＲＮＣと移動局ＵＥとの間で送受信されるＡＳメッセージ（第４プロトコル用メッセージ）を「ＡＳ  ＰＤＵ（ＵＴＲＡ）」と表現する。
【００２１】
図２に示すように、Ｅ-ＵＴＲＡ方式の交換局ＭＭＥは、ｅＮＢインターフェイス１１と、ＳＧＳＮインターフェイス１２と、ＨＯ  Ｒｅｑｕｅｓｔ生成部１３と、Ｆｏｒｗａｒｄ  Ｒｅｌｏｃａｔｉｏｎ  Ｒｅｓｐｏｎｓｅ生成部１４とを具備している。
【００２２】
ｅＮＢインターフェイス１１は、Ｅ-ＵＴＲＡ方式の無線基地局ｅＮＢとの間のインターフェイスである。
【００２３】
また、ｅＮＢインターフェイス１１は、Ｅ-ＵＴＲＡ方式の無線基地局ｅＮＢとの間の通信を行うために、「Ｓ１-Ａｐｐｌｉｃａｔｉｏｎ  Ｐｒｏｔｏｃｏｌ」を終端する。
【００２４】
例えば、ｅＮＢインターフェイス１１は、移動局ＵＥが、ＵＴＲＡ方式の無線基地局ＮＢ配下の第１セルからＥ-ＵＴＲＡ方式の無線基地局ｅＮＢ配下の第２セルに対してハンドオーバを行うための手順において、Ｅ-ＵＴＲＡ方式の無線基地局ｅＮＢに対して、「ＨＯ  Ｒｅｑｕｅｓｔ（Ｓ１メッセージ）」を送信したり、Ｅ-ＵＴＲＡ方式の無線基地局ｅＮＢから、「ＨＯ  Ｒｅｑｕｅｓｔ  Ａｃｋ（Ｓ１メッセージ）」を受信したりするように構成されている。
【００２５】
ここで、「ＨＯ  Ｒｅｑｕｅｓｔ  Ａｃｋ（Ｓ１メッセージ）」は、Ｅ-ＵＴＲＡ方式のＡＳのセキュリティ処理用アルゴリズムを含むトランスペアレントコンテナ「ＲＲＣＣｏｎｎｅｃｔｉｏｎＲｅｃｏｎｆｉｇ」を含むハンドオーバ要求応答メッセージである。
【００２６】
例えば、かかるＡＳのセキュリティ処理には、サイファリング（Ｃｉｐｈｅｒｉｎｇ）処理及びインテグリティプロテクション（Ｉｎｔｅｇｒｉｔｙ  Ｐｒｏｔｅｃｔｉｏｎ）処理が含まれる。
【００２７】
かかるＡＳのサイファリング処理は、発側において、セキュリティ処理用パラメータを用いてＡＳメッセージを暗号化し、着側において、セキュリティ処理用パラメータを用いてＡＳメッセージを復号する処理である。
【００２８】
また、かかるＡＳのインテグリティプロテクション処理は、送信側において、ＡＳメッセージ及びセキュリティ処理用パラメータを用いてＭＡＣ（Ｍｅｓｓａｇｅ  Ａｕｔｈｅｎｔｉｃａｔｉｏｎ  Ｃｏｄｅ、例えば、３２ビット長）を算出してＡＳメッセージに付与し、受信側において、ＡＳメッセージとセキュリティ処理用パラメータとＭＡＣとを用いてＡＳメッセージにおける改竄の有無を検査する処理である。
【００２９】
また、例えば、かかるＡＳのサイファリング処理用アルゴリズムとしては、「ＮＵＬＬ」や「ＡＥＳ」や「Ｓｎｏｗ３Ｇ」等が想定され、かかるＡＳのインテグリティプロテクション処理用アルゴリズムとしては、「ＡＥＳ」や「Ｓｎｏｗ３Ｇ」等が想定される。
【００３０】
ＳＧＳＮインターフェイス１２は、ＵＴＲＡ方式の交換局ＳＧＳＮとの間のインターフェイスである。
【００３１】
例えば、ＳＧＳＮインターフェイス１２は、移動局ＵＥが、ＵＴＲＡ方式の無線基地局ＮＢ配下の第１セルからＥ-ＵＴＲＡ方式の無線基地局ｅＮＢ配下の第２セルに対してハンドオーバを行うための手順において、ＵＴＲＡ方式の交換局ＳＧＳＮに対して、「Ｆｏｒｗａｒｄ  Ｒｅｌｏｃａｔｉｏｎ  Ｒｅｓｐｏｎｓｅ（第１メッセージ）」を送信したり、ＵＴＲＡ方式の交換局ＳＧＳＮから、「Ｆｏｒｗａｒｄ  Ｒｅｌｏｃａｔｉｏｎ  Ｒｅｑｕｅｓｔ」を受信したりするように構成されている。
【００３２】
ＨＯ  Ｒｅｑｕｅｓｔ生成部１３は、上述の「ＨＯ  Ｒｅｑｕｅｓｔ（Ｓ１メッセージ）」を生成するように構成されている。
【００３３】
具体的には、ＨＯ  Ｒｅｑｕｅｓｔ生成部１３は、上述の「ＨＯ  Ｒｅｑｕｅｓｔ（Ｓ１メッセージ）」を生成する際に、Ｅ-ＵＴＲＡ方式のＮＡＳのセキュリティ処理用アルゴリズムを選択し、ＮＡＳのセキュリティ処理用パラメータを生成するように構成されている。
【００３４】
ここで、ＨＯ  Ｒｅｑｕｅｓｔ生成部１３は、「Ｆｏｒｗａｒｄ  Ｒｅｌｏｃａｔｉｏｎ  Ｒｅｑｕｅｓｔ」に含まれる「ＵＥ  ｓｅｃｕｒｉｔｙ  ｃａｐａｂｉｌｉｔｉｅｓ（移動局ＵＥのセキュリティ処理能力）」に応じて、Ｅ-ＵＴＲＡ方式のＮＡＳのセキュリティ処理用アルゴリズムを選択してもよい。
【００３５】
例えば、かかるＮＡＳのセキュリティ処理には、サイファリング処理及びインテグリティプロテクション処理が含まれる。
【００３６】
かかるＮＡＳのサイファリング処理は、発側において、セキュリティ処理用パラメータを用いてＮＡＳメッセージを暗号化し、着側において、セキュリティ処理用パラメータを用いてＮＡＳメッセージを復号する処理である。
【００３７】
また、かかるＮＡＳのインテグリティプロテクション処理は、送信側において、ＮＡＳメッセージ及びセキュリティ処理用パラメータを用いてＭＡＣ（例えば３２ビット長）を算出してＮＡＳメッセージに付与し、受信側において、ＮＡＳメッセージとセキュリティ処理用パラメータとＭＡＣとを用いてＮＡＳメッセージにおける改竄の有無を検査する処理である。
【００３８】
また、例えば、かかるＮＡＳのサイファリング処理用アルゴリズムとしては、「ＮＵＬＬ」や「ＡＥＳ」や「Ｓｎｏｗ３Ｇ」等が想定され、かかるＮＡＳのインテグリティプロテクション処理用アルゴリズムとしては、「ＡＥＳ」や「Ｓｎｏｗ３Ｇ」等が想定される。
【００３９】
さらに、かかるＮＡＳのセキュリティ処理用パラメータとしては、「ｅＫＳＩ」や「ＮＯＮＣＥＭＭＥ」等が想定される。
【００４０】
Ｆｏｒｗａｒｄ  Ｒｅｌｏｃａｔｉｏｎ  Ｒｅｓｐｏｎｓｅ生成部１４は、上述の「Ｆｏｒｗａｒｄ  Ｒｅｌｏｃａｔｉｏｎ  Ｒｅｓｐｏｎｓｅ」を生成するように構成されている。
【００４１】
具体的には、Ｆｏｒｗａｒｄ  Ｒｅｌｏｃａｔｉｏｎ  Ｒｅｓｐｏｎｓｅ生成部１４は、トランスペアレントコンテナ「ＲＲＣＣｏｎｎｅｃｔｉｏｎＲｅｃｏｎｆｉｇ」と、Ｅ-ＵＴＲＡ方式のＮＡＳのセキュリティ処理用アルゴリズムと、Ｅ-ＵＴＲＡ方式のＮＡＳのセキュリティ処理用パラメータとを含む「Ｆｏｒｗａｒｄ  Ｒｅｌｏｃａｔｉｏｎ  Ｒｅｓｐｏｎｓｅ」を生成するように構成されている。
【００４２】
なお、Ｆｏｒｗａｒｄ  Ｒｅｌｏｃａｔｉｏｎ  Ｒｅｓｐｏｎｓｅ生成部１４は、Ｅ-ＵＴＲＡ方式のＮＡＳのセキュリティ処理用アルゴリズム及びＥ-ＵＴＲＡ方式のＮＡＳのセキュリティ処理用パラメータを含む「ＮＡＳ  ＰＤＵ（Ｅ-ＵＴＲＡ方式）」が、トランスペアレントコンテナ「ＲＲＣＣｏｎｎｅｃｔｉｏｎＲｅｃｏｎｆｉｇ」内に含められた状態の「Ｆｏｒｗａｒｄ  Ｒｅｌｏｃａｔｉｏｎ  Ｒｅｓｐｏｎｓｅ」を送信するように構成されていてもよい（後述の図５参照）。
【００４３】
ここで、Ｅ-ＵＴＲＡ方式の無線基地局ｅＮＢが、かかる「ＮＡＳ  ＰＤＵ（Ｅ-ＵＴＲＡ方式）」を、トランスペアレントコンテナ「ＲＲＣＣｏｎｎｅｃｔｉｏｎＲｅｃｏｎｆｉｇ」に含めるように構成されている。
【００４４】
また、Ｆｏｒｗａｒｄ  Ｒｅｌｏｃａｔｉｏｎ  Ｒｅｓｐｏｎｓｅ生成部１４は、Ｅ-ＵＴＲＡ方式のＮＡＳのセキュリティ処理用アルゴリズム及びＥ-ＵＴＲＡ方式のＮＡＳのセキュリティ処理用パラメータを含む「ＮＡＳ  ＰＤＵ（Ｅ-ＵＴＲＡ方式）」を、トランスペアレントコンテナ「ＲＲＣＣｏｎｎｅｃｔｉｏｎＲｅｃｏｎｆｉｇ」とは別に、「Ｆｏｒｗａｒｄ  Ｒｅｌｏｃａｔｉｏｎ  Ｒｅｓｐｏｎｓｅ」内に含めるように構成されていてもよい（後述の図６及び図７参照）。
【００４５】
ここで、Ｆｏｒｗａｒｄ  Ｒｅｌｏｃａｔｉｏｎ  Ｒｅｓｐｏｎｓｅ生成部１４は、かかる「ＮＡＳ  ＰＤＵ（Ｅ-ＵＴＲＡ方式）」に対して、Ｅ-ＵＴＲＡ方式のＮＡＳのセキュリティ処理用アルゴリズム及びＥ-ＵＴＲＡ方式のＮＡＳのセキュリティ処理用パラメータを用いたインテグリティプロテクション処理を施すように構成されていてもよい。
【００４６】
また、Ｆｏｒｗａｒｄ  Ｒｅｌｏｃａｔｉｏｎ  Ｒｅｓｐｏｎｓｅ生成部１４は、Ｅ-ＵＴＲＡ方式のＮＡＳのセキュリティ処理用アルゴリズム及びＥ-ＵＴＲＡ方式のＮＡＳのセキュリティ処理用パラメータを、トランスペアレントコンテナ「ＲＲＣＣｏｎｎｅｃｔｉｏｎＲｅｃｏｎｆｉｇ」とは別に、「Ｆｏｒｗａｒｄ  Ｒｅｌｏｃａｔｉｏｎ  Ｒｅｓｐｏｎｓｅ」内に、ＳＧＳＮインターフェイス１２上に見える情報要素として含めるように構成されていてもよい（後述の図８参照）。
【００４７】
図３に示すように、Ｅ-ＵＴＲＡ方式の無線基地局ｅＮＢは、ＭＭＥインターフェイス２１と、ＨＯ  Ｒｅｑｕｅｓｔ  Ａｃｋ生成部２２とを具備している。
【００４８】
ＭＭＥインターフェイス２１は、Ｅ-ＵＴＲＡ方式の交換局ＭＭＥとの間のインターフェイスである。
【００４９】
また、ＭＭＥインターフェイス２１は、Ｅ-ＵＴＲＡ方式の交換局ＭＭＥとの間の通信を行うために、「Ｓ１-Ａｐｐｌｉｃａｔｉｏｎ  Ｐｒｏｔｏｃｏｌ」を終端する。
【００５０】
例えば、ＭＭＥインターフェイス２１は、移動局ＵＥが、ＵＴＲＡ方式の無線基地局ＮＢ配下の第１セルからＥ-ＵＴＲＡ方式の無線基地局ｅＮＢ配下の第２セルに対してハンドオーバを行うための手順において、Ｅ-ＵＴＲＡ方式の交換局ＭＭＥに対して、「ＨＯ  Ｒｅｑｕｅｓｔ  Ａｃｋ（Ｓ１メッセージ）」を送信したり、Ｅ-ＵＴＲＡ方式の交換局ＭＭＥから、「ＨＯ  Ｒｅｑｕｅｓｔ（Ｓ１メッセージ）」を受信したりするように構成されている。
【００５１】
ＨＯ  Ｒｅｑｕｅｓｔ  Ａｃｋ生成部２１は、上述の「ＨＯ  Ｒｅｑｕｅｓｔ  Ａｃｋ（Ｓ１メッセージ）」を生成するように構成されている。
【００５２】
具体的には、ＨＯ  Ｒｅｑｕｅｓｔ  Ａｃｋ生成部２１は、上述の「ＨＯ  Ｒｅｑｕｅｓｔ  Ａｃｋ（Ｓ１メッセージ）」を生成する際に、Ｅ-ＵＴＲＡ方式のＡＳのセキュリティ処理用アルゴリズムを選択し、Ｅ-ＵＴＲＡ方式のＡＳのセキュリティ処理用パラメータを生成するように構成されている。
【００５３】
ここで、ＨＯ  Ｒｅｑｕｅｓｔ  Ａｃｋ生成部２１は、「ＨＯ  Ｒｅｑｕｅｓｔ（Ｓ１メッセージ）」に含まれる「ＵＥ  ＥＰＳ  ｓｅｃｕｒｉｔｙ  ｃａｐａｂｉｌｉｔｉｅｓ（移動局ＵＥのセキュリティ処理能力）」に応じて、Ｅ-ＵＴＲＡ方式のＡＳのセキュリティ処理用アルゴリズムを選択してもよい。
【００５４】
また、ＨＯ  Ｒｅｑｕｅｓｔ  Ａｃｋ生成部２１は、「ＨＯ  Ｒｅｑｕｅｓｔ（Ｓ１メッセージ）」に含まれている「ａｌｌｏｗｅｄ  ＡＳ  ａｌｇｏｒｉｔｈｍｓ」によって特定されるＥ-ＵＴＲＡ方式のＡＳのセキュリティ用アルゴリズムの中から、Ｅ-ＵＴＲＡ方式のＡＳのセキュリティ処理用アルゴリズムを選択してもよい。
【００５５】
図４に示すように、移動局ＵＥは、ハンドオーバ処理部３１と、ＮＡＳ  ＰＤＵ解析部３２とを具備している。
【００５６】
ハンドオーバ処理部３１は、移動局ＵＥが、ＵＴＲＡ方式の無線基地局ＮＢ配下の第１セルからＥ-ＵＴＲＡ方式の無線基地局ｅＮＢ配下の第２セルに対してハンドオーバを行うための手順において要求されている処理を行うように構成されている。
【００５７】
例えば、ハンドオーバ処理部３１は、Ｅ-ＵＴＲＡ方式のＮＡＳのセキュリティ処理用アルゴリズム及びＥ-ＵＴＲＡ方式のＮＡＳのセキュリティ処理用パラメータを用いて、Ｅ-ＵＴＲＡ方式のＡＳのセキュリティ処理用パラメータを算出するように構成されている。
【００５８】
また、ハンドオーバ処理部３１は、ハンドオーバ先のセルにおいて、Ｅ-ＵＴＲＡ方式のＮＡＳのセキュリティ処理用アルゴリズム及びＥ-ＵＴＲＡ方式のＮＡＳのセキュリティ処理用パラメータを用いて、Ｅ-ＵＴＲＡ方式のＮＡＳを用いた通信におけるセキュリティ処理を行い、Ｅ-ＵＴＲＡ方式のＡＳのセキュリティ処理用アルゴリズム及びＥ-ＵＴＲＡ方式のＡＳのセキュリティ処理用パラメータを用いて、Ｅ-ＵＴＲＡ方式のＡＳを用いた通信におけるセキュリティ処理を行うように構成されている。
【００５９】
ＮＡＳ  ＰＤＵ解析部３２は、受信したＥ-ＵＴＲＡ方式のＮＡＳのセキュリティ処理用アルゴリズムとＥ-ＵＴＲＡ方式のＮＡＳのセキュリティ処理用パラメータを用いたインテグリティプロテクション処理を行うことによって、受信した「ＮＡＳ  ＰＤＵ（Ｅ-ＵＴＲＡ方式）」に対する改竄の有無を検査するように構成されている。
【００６０】
ここで、ＮＡＳ  ＰＤＵ解析部３２が、「ＮＡＳ  ＰＤＵ（Ｅ-ＵＴＲＡ方式）」に対する改竄があると判断された場合、ハンドオーバ処理部３１が、ハンドオーバ元の無線アクセス装置（例えば、無線制御局ＲＮＣ又は交換局ＳＧＳＮ）に対して、上述のハンドオーバ手順が失敗した旨を通知するように構成されている。
【００６１】
（本発明の第１実施形態に係る移動通信システムの動作）
図５乃至図９を参照して、本発明の第１の実施形態に係る移動通信システムの動作例１乃至４について説明する。具体的には、移動局ＵＥが、ＵＴＲＡ方式の無線基地局ＮＢ配下の第１セルからＥ-ＵＴＲＡ方式の無線基地局ｅＮＢ配下の第２セルに対してハンドオーバを行うための手順について説明する。
【００６２】
第１に、図５を参照して、本発明の第１の実施形態に係る移動通信システムの動作例１について説明する。
【００６３】
図５に示すように、ステップＳ１００１において、ＵＴＲＡ方式の無線基地局ＮＢ配下の第１セルにおいて通信中の移動局ＵＥが、ＵＴＲＡ方式の無線制御局ＲＮＣに対して、「Ｍｅａｓｕｒｅｍｅｎｔ  Ｒｅｐｏｒｔ」を送信する。
【００６４】
ステップＳ１００２において、ＵＴＲＡ方式の無線制御局ＲＮＣが、ＵＴＲＡ方式の交換局ＳＧＳＮに対して、「Ｒｅｌｏｃａｔｉｏｎ  Ｒｅｑｕｅｓｔ」を送信する。
【００６５】
ステップＳ１００３において、ＵＴＲＡ方式の交換局ＳＧＳＮが、Ｅ-ＵＴＲＡ方式の交換局ＭＭＥに対して、「Ｆｏｒｗａｒｄ  Ｒｅｌｏｃａｔｉｏｎ  Ｒｅｑｕｅｓｔ」を送信する。
【００６６】
ここで、「Ｆｏｒｗａｒｄ  Ｒｅｌｏｃａｔｉｏｎ  Ｒｅｑｕｅｓｔ」には、ＵＴＲＡ方式のＮＡＳのセキュリティ処理用パラメータである「ＣＫ」や「ＩＫ」や「ＫＳＩ」や、移動局ＵＥのセキュリティ処理能力を示す「ＵＥ  ｓｅｃｕｒｉｔｙ  ｃａｐａｂｉｌｉｔｉｅｓ」が含まれている。
【００６７】
かかる「ＵＥ  ｓｅｃｕｒｉｔｙ  ｃａｐａｂｉｌｉｔｉｅｓ」には、Ｅ-ＵＴＲＡ方式における移動局ＵＥのセキュリティ処理能力を示す「ＵＥ  ＥＰＳ  ｓｅｃｕｒｉｔｙ  ｃａｐａｂｉｌｉｔｉｅｓ」が含まれる。
【００６８】
また、かかる「ＵＥ  ｓｅｃｕｒｉｔｙ  ｃａｐａｂｉｌｉｔｉｅｓ」には、ＵＴＲＡ方式や、他の無線アクセス方式における移動局ＵＥのセキュリティ処理能力を示す情報要素が含まれてもよい。
【００６９】
ステップＳ１００４において、Ｅ-ＵＴＲＡ方式の交換局ＭＭＥが、「ＮＯＮＣＥＭＭＥ」を生成する。ここで、「ＮＯＮＣＥＭＭＥ」は、３２ビット長のランダムに選択されるビットストリングである。
【００７０】
また、Ｅ-ＵＴＲＡ方式の交換局ＭＭＥが、（式１）によって、「ＫＡＳＭＥ」を生成する。
【００７１】
ＫＡＳＭＥ＝ＫＤＦ（ＣＫ｜｜ＩＫ，ＮＯＮＣＥＭＭＥ）  …  （式１）
また、Ｅ-ＵＴＲＡ方式の交換局ＭＭＥが、（式２）によって、「ｅＫＳＩ」を生成する。
【００７２】
ｅＫＳＩ＝ＫＳＩ  …  （式２）
ステップＳ１００５において、Ｅ-ＵＴＲＡ方式の交換局ＭＭＥが、「ＮＡＳ  ＤＬ  ＣＯＵＮＴ」及び「ＮＡＳ  ＵＬ  ＣＯＵＮＴ」を「０」とした後、（式３）によって、「ＫｅＮＢ」を生成する。ここで、「ＮＡＳ  ＤＬ  ＣＯＵＮＴ」は、下りリンクにおけるＥ-ＵＴＲＡ方式のＮＡＳメッセージのシーケンス番号であり、「ＮＡＳ  ＵＬ  ＣＯＵＮＴ」は、上りリンクにおけるＥ-ＵＴＲＡ方式のＮＡＳメッセージのシーケンス番号である。
【００７３】
ＫｅＮＢ＝ＫＤＦ（ＫＡＳＭＥ，ＮＡＳ  ＵＬ  ＣＯＵＮＴ）  …  （式３）
ステップＳ１００６において、Ｅ-ＵＴＲＡ方式の交換局ＭＭＥが、「ＵＥ  ＥＰＳ  ｓｅｃｕｒｉｔｙ  ｃａｐａｂｉｌｉｔｉｅｓ」に応じて、Ｅ-ＵＴＲＡ方式のＮＡＳのセキュリティ処理用アルゴリズムを選択する。
【００７４】
ステップＳ１００７において、Ｅ-ＵＴＲＡ方式の交換局ＭＭＥが、Ｅ-ＵＴＲＡ方式の無線基地局ｅＮＢに対して、「ＨＯ  Ｒｅｑｕｅｓｔ（Ｓ１メッセージ）」を送信する。
【００７５】
ここで、「ＨＯ  Ｒｅｑｕｅｓｔ（Ｓ１メッセージ）」には、「ＫｅＮＢ」や「ａｌｌｏｗｅｄ  ＡＳ  ａｌｇｏｒｉｔｈｍｓ」や「ＵＥ  ＥＰＳ  ｓｅｃｕｒｉｔｙ  ｃａｐａｂｉｌｉｔｉｅｓ」が含まれている。なお、「ＨＯ  Ｒｅｑｕｅｓｔ（Ｓ１メッセージ）」には、「ａｌｌｏｗｅｄ  ＡＳ  ａｌｇｏｒｉｔｈｍｓ」が含まれていなくてもよい。
【００７６】
また、「ＨＯ  Ｒｅｑｕｅｓｔ（Ｓ１メッセージ）」には、トランスペアレントコンテナとして、「ｅＫＳＩ」や「ＮＯＮＣＥＭＭＥ」や「ｓｅｌｅｃｔｅｄ  ＮＡＳ  ａｌｇｏｒｉｔｈｍ」を含む「ＮＡＳ  ＰＤＵ（Ｅ-ＵＴＲＡ方式）」が含まれている。ここで、「ｓｅｌｅｃｔｅｄ  ＮＡＳ  ａｌｇｏｒｉｔｈｍ」は、ステップＳ１００６において選択されたＥ-ＵＴＲＡ方式のＮＡＳのセキュリティ処理用アルゴリズムを示す。
【００７７】
ステップＳ１００８において、Ｅ-ＵＴＲＡ方式の無線基地局ｅＮＢが、「ＵＥ  ＥＰＳ  ｓｅｃｕｒｉｔｙ  ｃａｐａｂｉｌｉｔｉｅｓ」に基づいて、「ａｌｌｏｗｅｄ  ＡＳ  ａｌｇｏｒｉｔｈｍｓ」によって指定されているＥ-ＵＴＲＡ方式のＡＳのセキュリティ処理用アルゴリズムの中から、１つのＥ-ＵＴＲＡ方式のＡＳのセキュリティ処理用アルゴリズムを選択する。
【００７８】
具体的には、Ｅ-ＵＴＲＡ方式のＡＳのサイファリング処理用アルゴリズム及びＥ-ＵＴＲＡ方式のＡＳのインテグリティプロテクション処理用アルゴリズムが、それぞれ選択される。
【００７９】
ステップＳ１００９において、Ｅ-ＵＴＲＡ方式の無線基地局ｅＮＢが、Ｅ-ＵＴＲＡ方式の交換局ＭＭＥに対して、「ＨＯ  Ｒｅｑｕｅｓｔ  Ａｃｋ（Ｓ１メッセージ）」を送信する。
【００８０】
「ＨＯ  Ｒｅｑｕｅｓｔ  Ａｃｋ（Ｓ１メッセージ）」には、トランスペアレントコンテナ「ＲＲＣＣｏｎｎｅｃｔｉｏｎＲｅｃｏｎｆｉｇ」が含まれており、トランスペアレントコンテナ「ＲＲＣＣｏｎｎｅｃｔｉｏｎＲｅｃｏｎｆｉｇ」内には、「ｓｅｌｅｃｔｅｄ  ＡＳ  ａｌｇｏｒｉｔｈｍ」と、「ｅＫＳＩ」や「ＮＯＮＣＥＭＭＥ」や「ｓｅｌｅｃｔｅｄ  ＮＡＳ  ａｌｇｏｒｉｔｈｍ」を含む「ＮＡＳ  ＰＤＵ」とが含まれている。ここで、「ｓｅｌｅｃｔｅｄ  ＡＳ  ａｌｇｏｒｉｔｈｍ」は、ステップＳ１００８において選択されたＥ-ＵＴＲＡ方式のＡＳのセキュリティ処理用アルゴリズムを示す。
【００８１】
ステップＳ１０１０において、Ｅ-ＵＴＲＡ方式の交換局ＭＭＥが、ＵＴＲＡ方式の交換局ＳＧＳＮに対して、かかるトランスペアレントコンテナ「ＲＲＣＣｏｎｎｅｃｔｉｏｎＲｅｃｏｎｆｉｇ」を含む「Ｆｏｒｗａｒｄ  Ｒｅｌｏｃａｔｉｏｎ  Ｒｅｓｐｏｎｓｅ」を送信する。
【００８２】
ステップＳ１０１１において、ＵＴＲＡ方式の交換局ＳＧＳＮが、ＵＴＲＡ方式の無線制御局ＲＮＣに対して、かかるトランスペアレントコンテナ「ＲＲＣＣｏｎｎｅｃｔｉｏｎＲｅｃｏｎｆｉｇ」を含む「Ｒｅｌｏｃａｔｉｏｎ  Ｃｏｍｍａｎｄ」を送信する。
【００８３】
ステップＳ１０１２において、ＵＴＲＡ方式の無線制御局ＲＮＣが、移動局ＵＥに対して、かかるトランスペアレントコンテナ「ＲＲＣＣｏｎｎｅｃｔｉｏｎＲｅｃｏｎｆｉｇ」を含む「ＨＯｆｒｏｍＵＴＲＡＣｏｍｍａｎｄ（ハンドオーバ指示メッセージ）」を送信する。
【００８４】
ステップＳ１０１３において、移動局ＵＥが、受信した「ＨＯｆｒｏｍＵＴＲＡＣｏｍｍａｎｄ」に含まれる「ＮＡＳ  ＰＤＵ（Ｅ-ＵＴＲＡ方式）」を抽出し、「ＮＡＳ  ＰＤＵ（Ｅ-ＵＴＲＡ方式）」に含まれる「ＮＯＮＣＥＭＭＥ」と、ハンドオーバ前の通信で用いている「ＣＫ」及び「ＩＫ」とを用いて、（式４）によって、「ＫＡＳＭＥ」を生成する。
【００８５】
ＫＡＳＭＥ＝ＫＤＦ（ＣＫ｜｜ＩＫ，ＮＯＮＣＥＭＭＥ）  …  （式４）
また、移動局ＵＥが、ハンドオーバ前の通信で用いている「ＫＳＩ」を用いて、（式５）によって、「ｅＫＳＩ」を生成してもよい。
【００８６】
ｅＫＳＩ＝ＫＳＩ  …  （式５）
ここで、移動局ＵＥは、Ｅ-ＵＴＲＡ方式のＮＡＳのセキュリティ処理において、（式５）によって生成された「ｅＫＳＩ」の代わりに、受信した「ＨＯｆｒｏｍＵＴＲＡＣｏｍｍａｎｄ」内の「ＮＡＳ  ＰＤＵ（Ｅ-ＵＴＲＡ方式）」に含まれる「ｅＫＳＩ」を用いてもよい。
【００８７】
ステップＳ１０１４において、移動局ＵＥが、「ＮＡＳ  ＤＬ  ＣＯＵＮＴ」及び「ＮＡＳ  ＵＬ  ＣＯＵＮＴ」を「０」とした後、（式６）によって、「ＫｅＮＢ」を生成する。
【００８８】
ＫｅＮＢ＝ＫＤＦ（ＫＡＳＭＥ，ＮＡＳ  ＵＬ  ＣＯＵＮＴ）  …  （式６）
ステップＳ１０１５において、移動局ＵＥは、Ｅ-ＵＴＲＡ方式の無線基地局ｅＮＢに対して、「ＫｅＮＢ」を用いたＥ-ＵＴＲＡ方式のＡＳのセキュリティ処理を施した状態の「ＲＲＣＣｏｎｎｅｃｔｉｏｎＲｅｃｏｎｆｉｇｕｒａｔｉｏｎＣｏｍｐｌｅｔｅ（Ｅ-ＵＴＲＡ方式のＡＳメッセージ）」を送信する。
【００８９】
ここで、移動局ＵＥは、「ＫＡＳＭＥ」及び「ｅＫＳＩ」を用いて、Ｅ-ＵＴＲＡ方式のＮＡＳのセキュリティ処理用アルゴリズム（「ＡＥＳ」等）によって、「ＨＯｆｒｏｍＵＴＲＡＣｏｍｍａｎｄ」に含まれていた「ＮＡＳ  ＰＤＵ（Ｅ-ＵＴＲＡ方式）」に対して、インテグリティプロテクション処理を行うことによって、「ＮＡＳ  ＰＤＵ（Ｅ-ＵＴＲＡ方式）」に対する改竄の有無を検査し、「ＮＡＳ  ＰＤＵ（Ｅ-ＵＴＲＡ方式）」に対する改竄があったと判断された場合には、ＵＴＲＡ方式の無線制御局ＲＮＣ、又は、交換局ＳＧＳＮに対して、かかるハンドオーバ手順が失敗したことを通知するＵＴＲＡ方式のＡＳメッセージ、又は、ＵＴＲＡ方式のＮＡＳメッセージを送信してもよい。
【００９０】
ステップＳ１０１６において、Ｅ-ＵＴＲＡ方式の無線基地局ｅＮＢが、Ｅ-ＵＴＲＡ方式の交換局ＭＭＥに対して、「ＨＯ  Ｃｏｍｐｌｅｔｅ（Ｓ１メッセージ）」を送信する。
【００９１】
ステップＳ１０１７において、Ｅ-ＵＴＲＡ方式の交換局ＭＭＥが、ＵＴＲＡ方式の交換局ＳＧＳＮに対して、「Ｆｏｒｗａｒｄ  Ｒｅｌｏｃａｔｉｏｎ  Ｃｏｍｐｌｅｔｅ」を送信し、ステップＳ１０１８において、ＵＴＲＡ方式の交換局ＳＧＳＮが、Ｅ-ＵＴＲＡ方式の交換局ＭＭＥに対して、「Ｆｏｒｗａｒｄ  Ｒｅｌｏｃａｔｉｏｎ  Ｃｏｍｐｌｅｔｅ  Ａｃｋ」を送信する。
【００９２】
第２に、図６を参照して、本発明の第１の実施形態に係る移動通信システムの動作例２について説明する。
【００９３】
図６に示すように、ステップＳ２００１乃至Ｓ２００６の動作は、図５に示すステップＳ１００１乃至Ｓ１００６の動作と同一である。
【００９４】
ステップＳ２００７において、Ｅ-ＵＴＲＡ方式の交換局ＭＭＥが、Ｅ-ＵＴＲＡ方式の無線基地局ｅＮＢに対して、「ＨＯ  Ｒｅｑｕｅｓｔ（Ｓ１メッセージ）」を送信する。
【００９５】
ここで、「ＨＯ  Ｒｅｑｕｅｓｔ（Ｓ１メッセージ）」には、「ＫｅＮＢ」や「ａｌｌｏｗｅｄ  ＡＳ  ａｌｇｏｒｉｔｈｍｓ」や「ＵＥ  ＥＰＳ  ｓｅｃｕｒｉｔｙ  ｃａｐａｂｉｌｉｔｉｅｓ」が含まれている。なお、「ＨＯ  Ｒｅｑｕｅｓｔ（Ｓ１メッセージ）」には、「ａｌｌｏｗｅｄ  ＡＳ  ａｌｇｏｒｉｔｈｍｓ」が含まれていなくてもよい。
【００９６】
また、「ＨＯ  Ｒｅｑｕｅｓｔ（Ｓ１メッセージ）」には、トランスペアレントコンテナとして、図５に示す「ｅＫＳＩ」や「ＮＯＮＣＥＭＭＥ」や「ｓｅｌｅｃｔｅｄ  ＮＡＳ  ａｌｇｏｒｉｔｈｍ」を含む「ＮＡＳ  ＰＤＵ」が含まれていない。
【００９７】
ステップＳ２００８において、Ｅ-ＵＴＲＡ方式の無線基地局ｅＮＢが、「ＵＥ  ＥＰＳ  ｓｅｃｕｒｉｔｙ  ｃａｐａｂｉｌｉｔｉｅｓ」に基づいて、「ａｌｌｏｗｅｄ  ＡＳ  ａｌｇｏｒｉｔｈｍｓ」によって指定されているＥ-ＵＴＲＡ方式のＡＳのセキュリティ処理用アルゴリズムの中から、１つのＥ-ＵＴＲＡ方式のＡＳのセキュリティ処理用アルゴリズムを選択する。
【００９８】
具体的には、Ｅ-ＵＴＲＡ方式のＡＳのサイファリング処理用アルゴリズム及びＥ-ＵＴＲＡ方式のＡＳのインテグリティプロテクション処理用アルゴリズムが、それぞれ選択される。
【００９９】
ステップＳ２００９において、Ｅ-ＵＴＲＡ方式の無線基地局ｅＮＢが、Ｅ-ＵＴＲＡ方式の交換局ＭＭＥに対して、「ＨＯ  Ｒｅｑｕｅｓｔ  Ａｃｋ（Ｓ１メッセージ）」を送信する。
【０１００】
「ＨＯ  Ｒｅｑｕｅｓｔ  Ａｃｋ（Ｓ１メッセージ）」には、トランスペアレントコンテナ「ＲＲＣＣｏｎｎｅｃｔｉｏｎＲｅｃｏｎｆｉｇ」が含まれている。また、トランスペアレントコンテナ「ＲＲＣＣｏｎｎｅｃｔｉｏｎＲｅｃｏｎｆｉｇ」内には、「ｓｅｌｅｃｔｅｄ  ＡＳ  ａｌｇｏｒｉｔｈｍ」のみが含まれており、図５に示すような「ｅＫＳＩ」や「ＮＯＮＣＥＭＭＥ」や「ｓｅｌｅｃｔｅｄ  ＮＡＳ  ａｌｇｏｒｉｔｈｍ」を含む「ＮＡＳ  ＰＤＵ（Ｅ-ＵＴＲＡ方式）」は含まれていない。
【０１０１】
ステップＳ２０１０において、Ｅ-ＵＴＲＡ方式の交換局ＭＭＥが、ＵＴＲＡ方式の交換局ＳＧＳＮに対して、かかるトランスペアレントコンテナ「ＲＲＣＣｏｎｎｅｃｔｉｏｎＲｅｃｏｎｆｉｇ」を含む「Ｆｏｒｗａｒｄ  Ｒｅｌｏｃａｔｉｏｎ  Ｒｅｓｐｏｎｓｅ」を送信する。
【０１０２】
ここで、Ｅ-ＵＴＲＡ方式の交換局ＭＭＥは、「Ｆｏｒｗａｒｄ  Ｒｅｌｏｃａｔｉｏｎ  Ｒｅｓｐｏｎｓｅ」内に、トランスペアレントコンテナ「ＲＲＣＣｏｎｎｅｃｔｉｏｎＲｅｃｏｎｆｉｇ」とは別に、図５に示すような「ｅＫＳＩ」や「ＮＯＮＣＥＭＭＥ」や「ｓｅｌｅｃｔｅｄ  ＮＡＳ  ａｌｇｏｒｉｔｈｍ」を含む「ＮＡＳ  ＰＤＵ（Ｅ-ＵＴＲＡ方式）」を含める。
【０１０３】
ステップＳ２０１１において、ＵＴＲＡ方式の交換局ＳＧＳＮが、ＵＴＲＡ方式の無線制御局ＲＮＣに対して、トランスペアレントコンテナ「ＲＲＣＣｏｎｎｅｃｔｉｏｎＲｅｃｏｎｆｉｇ」及び「ＮＡＳ  ＰＤＵ（ＵＴＲＡ方式）」を含む「Ｒｅｌｏｃａｔｉｏｎ  Ｃｏｍｍａｎｄ」を送信する。
【０１０４】
ここで、ＵＴＲＡ方式の交換局ＳＧＳＮは、Ｅ-ＵＴＲＡ方式の交換局ＭＭＥから受信した「ＮＡＳ  ＰＤＵ（Ｅ-ＵＴＲＡ方式）」を、「ＮＡＳ  ＰＤＵ（ＵＴＲＡ方式）」に含めて送信する。
【０１０５】
ステップＳ２０１２において、ＵＴＲＡ方式の無線制御局ＲＮＣが、移動局ＵＥに対して、トランスペアレントコンテナ「ＲＲＣＣｏｎｎｅｃｔｉｏｎＲｅｃｏｎｆｉｇ」及び「ＮＡＳ  ＰＤＵ（ＵＴＲＡ方式）」を含む「ＨＯｆｒｏｍＵＴＲＡＣｏｍｍａｎｄ（ハンドオーバ指示メッセージ）」を送信する。
【０１０６】
以下、ステップＳ２０１３乃至Ｓ２０１８の動作は、図５に示すステップＳ１０１３乃至Ｓ１０１８の動作と同一である。
【０１０７】
第３に、図７を参照して、本発明の第１の実施形態に係る移動通信システムの動作例３について説明する。
【０１０８】
図７に示すように、ステップＳ３００１乃至Ｓ２０１１の動作は、図６に示すステップＳ２００１乃至Ｓ２０１１の動作と同一である。
【０１０９】
ステップＳ３０１２Ａにおいて、ＵＴＲＡ方式の無線制御局ＲＮＣが、ＵＴＲＡ方式の交換局ＳＧＳＮから受信した「Ｒｅｌｏｃａｔｉｏｎ  Ｃｏｍｍａｎｄ」に含まれる「ＮＡＳ  ＰＤＵ（ＵＴＲＡ方式）」を含む「Ｄｉｒｅｃｔ  Ｔｒａｎｓｆｅｒ（ＡＳメッセージ）」を、トランスペアレントコンテナ「ＲＲＣＣｏｎｎｅｃｔｉｏｎＲｅｃｏｎｆｉｇ」とは別に、移動局ＵＥに対して送信する。
【０１１０】
ステップＳ３０１２において、ＵＴＲＡ方式の無線制御局ＲＮＣが、移動局ＵＥに対して、トランスペアレントコンテナ「ＲＲＣＣｏｎｎｅｃｔｉｏｎＲｅｃｏｎｆｉｇ」を含み、「ＮＡＳ  ＰＤＵ（ＵＴＲＡ方式）」や「ＮＡＳ  ＰＤＵ（Ｅ-ＵＴＲＡ方式）」を含まない「ＨＯｆｒｏｍＵＴＲＡＣｏｍｍａｎｄ（ハンドオーバ指示メッセージ）」を送信する。
【０１１１】
ここで、移動局ＵＥにおける「Ｄｉｒｅｃｔ  Ｔｒａｎｓｆｅｒ」及び「ＨＯｆｒｏｍＵＴＲＡＣｏｍｍａｎｄ」の受信処理の順序が保障されるように、「Ｄｉｒｅｃｔ  Ｔｒａｎｓｆｅｒ」及び「ＨＯｆｒｏｍＵＴＲＡＣｏｍｍａｎｄ」が順序保障される同一無線ベアラにて送信されてもよい。
【０１１２】
また、移動局ＵＥが、「Ｄｉｒｅｃｔ  Ｔｒａｎｓｆｅｒ」に対する応答信号（ＵＴＲＡ方式のＡＳメッセージ）を送信し、ＵＴＲＡ方式の無線制御局ＲＮＣが、応答信号（ＵＴＲＡ方式のＡＳメッセージ）を受信した後に、ＵＴＲＡ方式の無線制御局ＲＮＣが、「ＨＯｆｒｏｍＵＴＲＡＣｏｍｍａｎｄ」を送信するように構成されていてもよい。
【０１１３】
また、移動局ＵＥが、「Ｄｉｒｅｃｔ  Ｔｒａｎｓｆｅｒ」に含まれる「ＮＡＳ  ＰＤＵ（ＵＴＲＡ方式）」に対する応答信号（ＵＴＲＡ方式のＮＡＳメッセージ）を送信し、ＵＴＲＡ方式の交換局ＳＧＳＮが、応答信号（ＵＴＲＡ方式のＮＡＳメッセージ）を受信した後に、ＵＴＲＡ方式の交換局ＳＧＳＮが、ＵＴＲＡ方式の無線制御局ＲＮＣに対して、かかる応答信号を受信した旨を通知し、ＵＴＲＡ方式の無線制御局ＲＮＣが、かかる通知を受信した後に、「ＨＯｆｒｏｍＵＴＲＡＣｏｍｍａｎｄ」を送信するように構成されていてもよい。
【０１１４】
以下、ステップＳ３０１３乃至Ｓ３０１８の動作は、図５に示すステップＳ１０１３乃至Ｓ１０１８の動作と同一である。
【０１１５】
第４に、図８を参照して、本発明の第１の実施形態に係る移動通信システムの動作例４について説明する。
【０１１６】
図８に示すように、ステップＳ４００１乃至Ｓ４００９の動作は、図６に示すステップＳ３００１乃至Ｓ３００９の動作と同一である。
【０１１７】
ステップＳ４０１０において、Ｅ-ＵＴＲＡ方式の交換局ＭＭＥが、ＵＴＲＡ方式の交換局ＳＧＳＮに対して、上述のトランスペアレントコンテナ「ＲＲＣＣｏｎｎｅｃｔｉｏｎＲｅｃｏｎｆｉｇ」を含む「Ｆｏｒｗａｒｄ  Ｒｅｌｏｃａｔｉｏｎ  Ｒｅｓｐｏｎｓｅ」を送信する。
【０１１８】
ここで、Ｅ-ＵＴＲＡ方式の交換局ＭＭＥは、「Ｆｏｒｗａｒｄ  Ｒｅｌｏｃａｔｉｏｎ  Ｒｅｓｐｏｎｓｅ」内に、トランスペアレントコンテナ「ＲＲＣＣｏｎｎｅｃｔｉｏｎＲｅｃｏｎｆｉｇ」とは別に、「ｅＫＳＩ」や「ＮＯＮＣＥＭＭＥ」や「ｓｅｌｅｃｔｅｄ  ＮＡＳ  ａｌｇｏｒｉｔｈｍ」のそれぞれを、情報要素として含める。
【０１１９】
ＵＴＲＡ方式の交換局ＳＧＳＮが、ステップＳ４０１１Ａにおいて、「Ｆｏｒｗａｒｄ  Ｒｅｌｏｃａｔｉｏｎ  Ｒｅｓｐｏｎｓｅ」に含まれている「ｅＫＳＩ」や「ＮＯＮＣＥＭＭＥ」や「ｓｅｌｅｃｔｅｄ  ＮＡＳ  ａｌｇｏｒｉｔｈｍ」を含む「ＮＡＳ  ＰＤＵ（ＵＴＲＡ方式）」を生成して移動局ＵＥに送信し、ステップＳ４０１１Ｂにおいて、かかる「ＮＡＳ  ＰＤＵ（ＵＴＲＡ方式）」を受信した旨を示す「Ａｃｋ」を移動局ＵＥから受信する。
【０１２０】
ステップＳ４０１１において、ＵＴＲＡ方式の交換局ＳＧＳＮが、ＵＴＲＡ方式の無線制御局ＲＮＣに対して、トランスペアレントコンテナ「ＲＲＣＣｏｎｎｅｃｔｉｏｎＲｅｃｏｎｆｉｇ」を含み、上述の「ｅＫＳＩ」や「ＮＯＮＣＥＭＭＥ」や「ｓｅｌｅｃｔｅｄ  ＮＡＳ  ａｌｇｏｒｉｔｈｍ」を含まない「Ｒｅｌｏｃａｔｉｏｎ  Ｃｏｍｍａｎｄ」を送信する。
【０１２１】
ステップＳ４０１２において、ＵＴＲＡ方式の無線制御局ＲＮＣが、移動局ＵＥに対して、トランスペアレントコンテナ「ＲＲＣＣｏｎｎｅｃｔｉｏｎＲｅｃｏｎｆｉｇ」を含み、上述の「ｅＫＳＩ」や「ＮＯＮＣＥＭＭＥ」や「ｓｅｌｅｃｔｅｄ  ＮＡＳ  ａｌｇｏｒｉｔｈｍ」を含まない「ＨＯｆｒｏｍＵＴＲＡＣｏｍｍａｎｄ（ハンドオーバ指示メッセージ）」を送信する。
【０１２２】
以下、ステップＳ４０１３乃至Ｓ４０１８の動作は、図５に示すステップＳ１０１３乃至Ｓ１０１８の動作と同一である。
【０１２３】
第５に、図９を参照して、本発明の第１の実施形態に係る移動通信システムの動作例５について説明する。
【０１２４】
図９に示すように、ステップＳ５００１乃至Ｓ５００６の動作は、図５に示すステップＳ１００１乃至Ｓ１００６の動作と同一である。
【０１２５】
ステップＳ５００７において、Ｅ-ＵＴＲＡ方式の交換局ＭＭＥが、Ｅ-ＵＴＲＡ方式の無線基地局ｅＮＢに対して、「ＨＯ  Ｒｅｑｕｅｓｔ（Ｓ１メッセージ）」を送信する。
【０１２６】
ここで、「ＨＯ  Ｒｅｑｕｅｓｔ（Ｓ１メッセージ）」には、「ＫｅＮＢ」や「ａｌｌｏｗｅｄ  ＡＳ  ａｌｇｏｒｉｔｈｍｓ」や「ＵＥ  ＥＰＳ  ｓｅｃｕｒｉｔｙ  ｃａｐａｂｉｌｉｔｉｅｓ」や「ｅＫＳＩ」や「ＮＯＮＣＥＭＭＥ」や「ｓｅｌｅｃｔｅｄ  ＮＡＳ  ａｌｇｏｒｉｔｈｍ」が含まれている。なお、「ＨＯ  Ｒｅｑｕｅｓｔ（Ｓ１メッセージ）」には、「ａｌｌｏｗｅｄ  ＡＳ  ａｌｇｏｒｉｔｈｍｓ」が含まれていなくてもよい。
【０１２７】
ステップＳ５００８において、Ｅ-ＵＴＲＡ方式の無線基地局ｅＮＢが、「ＵＥ  ＥＰＳ  ｓｅｃｕｒｉｔｙ  ｃａｐａｂｉｌｉｔｉｅｓ」に基づいて、「ａｌｌｏｗｅｄ  ＡＳ  ａｌｇｏｒｉｔｈｍｓ」によって指定されているＥ-ＵＴＲＡ方式のＡＳのセキュリティ処理用アルゴリズムの中から、１つのＥ-ＵＴＲＡ方式のＡＳのセキュリティ処理用アルゴリズムを選択する。
【０１２８】
具体的には、Ｅ-ＵＴＲＡ方式のＡＳのサイファリング処理用アルゴリズム及びＥ-ＵＴＲＡ方式のＡＳのインテグリティプロテクション処理用アルゴリズムが、それぞれ選択される。
【０１２９】
ステップＳ５００９において、Ｅ-ＵＴＲＡ方式の無線基地局ｅＮＢが、Ｅ-ＵＴＲＡ方式の交換局ＭＭＥに対して、「ＨＯ  Ｒｅｑｕｅｓｔ  Ａｃｋ（Ｓ１メッセージ）」を送信する。
【０１３０】
「ＨＯ  Ｒｅｑｕｅｓｔ  Ａｃｋ（Ｓ１メッセージ）」には、トランスペアレントコンテナ「ＲＲＣＣｏｎｎｅｃｔｉｏｎＲｅｃｏｎｆｉｇ」が含まれており、トランスペアレントコンテナ「ＲＲＣＣｏｎｎｅｃｔｉｏｎＲｅｃｏｎｆｉｇ」内には、「ｓｅｌｅｃｔｅｄ  ＡＳ  ａｌｇｏｒｉｔｈｍ」や「ｅＫＳＩ」や「ＮＯＮＣＥＭＭＥ」や「ｓｅｌｅｃｔｅｄ  ＮＡＳ  ａｌｇｏｒｉｔｈｍ」が含まれている。
【０１３１】
以下、ステップＳ５０１０乃至Ｓ５０１８の動作は、図５に示すステップＳ１０１０乃至Ｓ１０１８の動作と同一である。
【０１３２】
（本発明の第１の実施形態に係る移動通信システムの作用・効果）
本発明の第１の実施形態に係る移動通信システムによれば、移動局ＵＥが、ＵＴＲＡ方式の無線基地局ＮＢ配下のセルからＥ-ＵＴＲＡ方式の無線基地局ｅＮＢ配下のセルに対してハンドオーバを行うための手順において、ＵＴＲＡ方式のＮＡＳのセキュリティ用パラメータやＵＴＲＡ方式のＡＳのセキュリティ用パラメータ等を、Ｅ-ＵＴＲＡ方式のＮＡＳのセキュリティ用パラメータやＥ-ＵＴＲＡ方式のＡＳのセキュリティ用パラメータ等として、適切に引き継がせることができる。
【０１３３】
また、本発明の第１の実施形態に係る移動通信システムによれば、図５乃至図８の例に示すように、Ｅ-ＵＴＲＡ方式のＮＡＳのセキュリティ処理用アルゴリズムを示す「ｓｅｌｅｃｔｅｄ  ＮＡＳ  ａｌｇｏｒｉｔｈｍ」や、Ｅ-ＵＴＲＡ方式のＮＡＳのセキュリティ処理用パラメータである「ｅＫＳＩ」や「ＮＯＮＣＥＭＭＥ」が、Ｅ-ＵＴＲＡ方式のＡＳメッセージである「ＲＲＣＣｏｎｎｅｃｔｉｏｎＲｅｃｏｎｆｉｇ」内に情報要素として直接含まれないように構成されているため、ＮＡＳとＡＳとの独立性を維持することができる。
【０１３４】
また、本発明の第１の実施形態に係る移動通信システムによれば、「ｓｅｌｅｃｔｅｄ  ＮＡＳ  ａｌｇｏｒｉｔｈｍ」や「ｅＫＳＩ」や「ＮＯＮＣＥＭＭＥ」が含まれる「ＮＡＳ  ＰＤＵ」に対して、インテグリティプロテクションを施すことによって、ユーザ側に近いＥ-ＵＴＲＡ方式の無線基地局ｅＮＢにおいて、かかる「ＮＡＳ  ＰＤＵ（Ｅ-ＵＴＲＡ方式）」に対して改竄が行われた場合に、かかるハンドオーバ手順を中止することができる。
【０１３５】
なお、上述の移動局ＵＥや無線基地局ＮＢ及びｅＮＢや交換局ＳＧＳＮ及びＭＭＥや無線制御局ＲＮＣの動作は、ハードウェアによって実施されてもよいし、プロセッサによって実行されるソフトウェアモジュールによって実施されてもよいし、両者の組み合わせによって実施されてもよい。
【０１３６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮＢ及びｅＮＢや交換局ＳＧＳＮ及びＭＭＥや無線制御局ＲＮＣ内に設けられていてもよい。また、かかる記憶媒体及びプロセッサは、ディスクリートコンポーネントとして移動局ＵＥや無線基地局ＮＢ及びｅＮＢや交換局ＳＧＳＮ及びＭＭＥや無線制御局ＲＮＣ内に設けられていてもよい。
【０１３８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１３９】
ＭＭＥ、ＳＧＳＮ…交換局
１１…ｅＮＢインターフェイス
１２…ＳＧＳＮインターフェイス
１３…ＨＯ  Ｒｅｑｕｅｓｔ生成部
１４…Ｆｏｒｗａｒｄ  Ｒｅｌｏｃａｔｉｏｎ  Ｒｅｓｐｏｎｓｅ生成部
ＲＮＣ…無線制御局
ｅＮＢ、ＮＢ…無線基地局
ＵＥ…移動局
２１…ＭＭＥインターフェイス
２２…ＨＯ  Ｒｅｑｕｅｓｔ  ＡＣＫ生成部
【図１】
2010104020.tif 000003
【図２】
2010104020.tif 000004
【図３】
2010104020.tif 000005
【図４】
2010104020.tif 000006
【図５】
2010104020.tif 000007
【図６】
2010104020.tif 000008
【図７】
2010104020.tif 000009
【図８】
2010104020.tif 000010
【図９】
2010104020.tif 000011